(57)【要約】【課題】  光を全方向に取り出すことができる広指向性の発光装置を提供する。【解決手段】  複数のリード４１，４２，４３をその一部を露出させた状態で第１の樹脂５によって一体化したパッケージ２と、前記複数のリードのいずれかの上に固定され前記複数のリードのいずれかに電気的に接続された発光素子３と、前記発光素子３を封止する第２の樹脂７とを備える発光装置１において、前記第１及び第２の樹脂５，７を光透過性の樹脂とし、これら第１及び第２の樹脂５，７を導光体として機能させることにより、裏面方向への光取出しを多くする。【選択図】        図２
2009111140.tif 000002
【特許請求の範囲】
【請求項１】
複数のリードをその一部を露出させた状態で第１の樹脂によって一体化したパッケージと、前記複数のリードのいずれかの上に固定され前記複数のリードのいずれかに電気的に接続された発光素子と、前記発光素子を封止する第２の樹脂とを備える発光装置において、前記第１及び第２の樹脂を光透過性の樹脂としたことを特徴とする発光装置。
【請求項２】
前記第１の樹脂は、前記第２の樹脂よりも耐熱温度が高い樹脂としたことを特徴とする請求項１記載の発光装置。
【請求項３】
前記発光素子の左右に位置する前記第１の樹脂によって形成される側壁の上部外側面を、上から下に向かうに従って左右方向の外側に広がる形状としたことを特徴とする請求項１あるいは２に記載の発光装置。
【請求項４】
前記第２の樹脂は、その中に蛍光材料を含有することを特徴とする請求項１〜３のいずれかに記載の発光装置。
【請求項５】
複数のリードをその一部を露出させた状態で光透過性の第１の樹脂によって一体化したパッケージを準備する工程と、前記複数のリードのいずれかの上に発光素子を固定する工程と、前記発光素子と前記複数のリードのいずれかを電気的に接続する工程と、前記複数のリードのいずれかの上に固定された前記発光素子を光透過性の第２の樹脂によって封止する工程とを備えたことを特徴とする発光装置の製造方法。
【請求項６】
前記第２の樹脂は、その中に蛍光材料を含有することを特徴とする請求項５に記載の発光装置の製造方法。
【発明の詳細な説明】
【技術分野】
【０００１】
本発明は、発光素子から発せられた光を広範囲に照射するに適した発光装置とその製造方法に関する。
【背景技術】
【０００２】
特許文献１は、白色樹脂を用いたパッケージの反射枠の中に発光素子とそのモールド用の樹脂を配置した構造を開示している。パッケージはリードフレームが利用され、枠部分を白色樹脂によって形成することで反射構造とし、発光素子から発した光を一方向に指向性を高めて取り出す構成となっている。
【０００３】
また、特許文献２には、反射枠の構造を採用することなく、発光素子を蛍光材料含有の樹脂にてモールドした構造となっている。
【特許文献１】特開２００３−１６８８２４号公報
【特許文献２】特表２００３−５１９９２９号公報
【発明の開示】
【発明が解決しようとする課題】
【０００４】
特許文献１に開示の反射枠構造は、光を全方向に拡散することに不向きな構造である。特許文献２に開示の反射枠なしの構造は、モールド樹脂を一度に成型するので、樹脂形状のきめ細かな設定が困難である。特に、樹脂中に、蛍光材料や光拡散材料を含有する場合、樹脂とその含有材料の比重の関係で、含有材料の最適配置が困難になり易い。
【０００５】
そこで本発明は、光の指向性を抑制し、光を全方向に取り出すことが容易な発光装置を提供することを課題の１つとする。
また、モールド樹脂の設計が容易な発光装置を提供することを課題の１つとする。
【課題を解決するための手段】
【０００６】
本発明の第１局面の発光装置は、複数のリードをその一部を露出させた状態で第１の樹脂によって一体化したパッケージと、前記複数のリードのいずれかの上に固定され前記複数のリードのいずれかに電気的に接続された発光素子と、前記発光素子を封止する第２の樹脂とを備える発光装置において、前記第１及び第２の樹脂を光透過性の樹脂としたことを特徴とする。
【０００７】
第１及び第２の樹脂を光透過性の樹脂とすることにより、両方の樹脂を導光体として機能させることができ、発光素子を配置したリードの裏側にも光を導くことができる。
【０００８】
本発明の第１局面の発光装置は、前記第１の樹脂を前記第２の樹脂よりも耐熱温度が高い樹脂とすることができる。
【０００９】
前記第１の樹脂を前記第２の樹脂よりも耐熱温度が高い樹脂とすることにより、第２の樹脂の硬化に際して、第１の樹脂の熱による溶融や熱変の発生を防止して装置の形状を安定なものとすることができる。
【００１０】
本発明の第１局面の発光装置は、前記発光素子の左右に位置する前記第１の樹脂によって形成される側壁の上部外側面を、上から下に向かうに従って左右方向の外側に広がる形状とすることができる。
【００１１】
側壁の上部外側面を、上から下に向かうに従って左右方向の外側に広がる形状とすることにより、側壁を透過する光を裏面方向に案内することができ、裏面方向から出射する光の量を多くすることができる。
【００１２】
本発明の第１局面の発光装置は、前記第２の樹脂を蛍光材料を含有するものとすることができる。
【００１３】
樹脂に含有させた蛍光材料によって、発光素子の光を色を他の色に変換することができる。
【００１４】
本発明の第２局面の発光装置の製造方法は、複数のリードをその一部を露出させた状態で光透過性の第１の樹脂によって一体化したパッケージを準備する工程と、前記複数のリードのいずれかの上に発光素子を固定する工程と、前記発光素子と前記複数のリードのいずれかを電気的に接続する工程と、前記複数のリードのいずれかの上に固定された前記発光素子を光透過性の第２の樹脂によって封止する工程、とを備えたことを特徴とする。
【００１５】
光透過性樹脂によって形成されたパッケージに発光素子を固定した後、光透過性の第２の樹脂によって封止するので、両方の樹脂を導光体として機能させることができ、発光素子を配置したリードの裏側にも光を導くことができる発光装置を提供することができる。
【００１６】
本発明の第２局面の発光装置の製造方法は、前記第２の樹脂の中に蛍光材料を含有させることができる。第２の樹脂に蛍光材料を含有させることにより、第１の樹脂に蛍光材料を含有させる必要がなくなり、第１、第２の樹脂の設計時の自由度を高めることができる。
【発明の効果】
【００１７】
発光装置の光を広範囲に取り出すことができ、広指向性の発光装置を提供することができる。
【発明を実施するための最良の形態】
【００１８】
以下、本発明の実施形態を図面を参照して説明する。図１は、本発明の発光装置１の長手方向（図３（Ｄ）のＡ−Ａ）の断面図、図２は発光装置１の短手方向（図３（Ｄ）のＢ−Ｂ）の断面図である。
【００１９】
発光装置１は、リードフレーム型のパッケージ２に発光素子３を搭載し、発光素子３を樹脂封止して構成している。
パッケージ２は、リードフレーム４を用いて構成された複数のリード４１，４２,４３をその一部を露出させた状態で第１の樹脂５によって一体化して構成している。
発光素子３は、前記複数のリード４１，４２,４３のいずれかの上に接着材料によって固定し、前記複数のリード４１，４２,４３のいずれかにワイヤーボンド線６によって電気的に接続している。この例では、発光素子を固定したリード上と、そのリードに隣接した別のリードにワイヤーボンド線６を配線している。パッケージに搭載する発光素子の数は、２個の例を示しているが、それに限られるものではなく、発光装置１の形状に応じて、任意の数に設定することができる。
パッケージ２に搭載した発光素子３は、第１の樹脂５とは異なる第２の樹脂７を用いて封止している。
【００２０】
以下、発光装置１の構造を、図３（Ａ）〜図３（Ｄ）に示す製造工程を参照して詳細に説明する。
図３（Ａ）に示すように、複数のリード４１，４２,４３がタイバー４４によって連結されたリードフレームを準備する。リードフレームは金属製、例えば鉄系、あるいは銅系の材料で構成され、複数のリード４１，４２,４３がタイバー４４を介してメインフレーム（図示せず）に連結されている。図３（Ａ）は、１つの発光装置１のリード部分しか示していないが、複数個の発光装置を構成するリードがタイバー４４を介してメインフレーム（図示せず）に連結されている。
次に、図３（Ｂ）に示すように、このリードフレームに例えばインサート成型によって、第１の樹脂５を形成する。第１の樹脂５は光透過性の樹脂で形成され、例えばナイロンにガラス成分を含有させた耐熱性の高い透明な樹脂を用いている。複数のリード４１，４２,４３は、それぞれの上面の一部が、第１の樹脂５から露出した状態を保って第１の樹脂５によって一体化される。
第１の樹脂５は、その上面の外周部分に、リード４１，４２,４３の上面よりも高い側壁５１が一体に形成されている。この側壁５１は、第２の樹脂７の形成に際してその外観形状を整える役割がある。このようにして、リードフレームを利用した樹脂枠タイプのパッケージ２が用意される。
【００２１】
次に、図３（Ｃ）に示すように、リード４２の上面に発光素子３，３を接着材料によって固定する。この例では、発光素子の正負の電極がいずれも素子の上面に位置する発光素子３を用いているので、発光素子３の裏面を絶縁性の接着材料でリードに固定している。
発光素子３を固定した後、発光素子３への電気的な接続を施す。この例では、ワイヤーボンド線６を用いて、発光素子３の正負の一方の電極と発光素子を固定したリード４２間を接続し、ワイヤーボンド線６を用いて、発光素子の正負の他方の電極と発光素子を固定したリード４２とは別のリード４１，４３間を接続している。
【００２２】
次に、図３（Ｄ）に示すように、第２の樹脂７を用いて発光素子３，３をワイヤーボンド線６とともに封止する。第２の樹脂７は、光透過性のシリコン樹脂やエポキシ樹脂を用いることができる。
この第２の樹脂７は、第１の樹脂５に接して配置されるので、第２の樹脂７を形成する際に第１の樹脂５の溶融や熱変形を防ぐ為に、硬化時の温度が第１の樹脂５の耐熱温度よりも低い樹脂を用いる。
第２の樹脂７は、光透過性のシリコン樹脂やエポキシ樹脂を単独で用いることができるが、この例では、発光素子３の光を波長変換して出力する蛍光材料（図示せず）を含有させたものを用いている。
発光素子３として青色の光を出力する素子を用いる場合、その光を受けて黄色系統の光を出力する蛍光材料を用いれば、両方の光が混色されて白色系の光が取り出される。蛍光材料に赤色成分を多く出力することができるものを用いれば、昼光色（電球色）のように赤み成分の多い光を出力することができる。
【００２３】
蛍光材料は、発光素子３から離れて位置するに従い発光素子３の発する光によって励起されにくくなり、色ムラの要因になるので、発光素子の近くに集中させて蛍光材料を配置することが色ムラを抑える上で好ましい。例えば、第２の樹脂７よりも比重が大きな蛍光材料を用いることにより、蛍光材料を樹脂７の底に沈降させて、蛍光材料を発光素子３の近くに集中的に配置している。
上記のように第２の樹脂７を第１の樹脂５と別々に形成するので、樹脂と蛍光材料の選択に際して、第１の樹脂５と蛍光材料のマッチングを考慮する必要がなくなる。したがって、樹脂と蛍光材料の選択に際して、第１の樹脂５による制約を受けにくくなり、蛍光材料を最適位置に配置する上での設計が容易になる。
【００２４】
第２の樹脂７は、図２に示すように、第１の樹脂５の側壁５１によって形成された枠部分の最上部まで充填しているが、発光素子３を覆うように素子の周囲にのみ配置することもできる。
【００２５】
第２の樹脂７が硬化すると、リード４１,４３をアウターリードとして必要な長さを残して切断するとともに、タイバー４４を側壁５１の近くで切断することにより、発光装置１をリードフレームから切り離して個々の発光装置１を完成させる。
【００２６】
このようにして完成した発光装置１は、第１の樹脂５の側壁５１から突き出たリード４１，４３のアウターリード間に所定電圧を加えると、発光素子３に一定の電流が供給されて発光素子３が点灯する。発光素子３から出た光の一部は蛍光材料を励起する。この蛍光材料から出た光と発光素子の光は、矢印で示すように、装置の上面方向に出射されるが、その一部は、光透過性の第１、第２の樹脂５，７を伝わってリード４１,４２,４３の裏側にも回り込み、発光装置１の裏面側からも取り出される。ここで、リード４１,４２,４３の裏面をより広く覆うように、第１の樹脂５を形成しておくことが、光をリード４１,４２,４３の裏側により多く導くことができる点で好ましい。したがって、リード４１,４２,４３の裏面が露出しないように、発光装置１は、その裏面全面が第１の樹脂で覆ったわれた状態とすることが、裏面からの光取出しを増加させることができ、広指向性を実現する上で好ましい。
【００２７】
図４は、発光装置１の上下左右方向の相対出力の分布を示している。図２中に示すように、０°（３６０°）は装置１の左方向、９０°は装置１の上（表面）方向、１８０°は装置１の右方向、２７０°は装置１の下（裏面）方向を示している。
図４（Ａ）は上記実施形態における相対出力の分布を示し、図４（Ｂ）は第２の樹脂を光反射性の白色樹脂にて構成した従来例における相対出力の分布を示している。図４（Ａ）と図４（Ｂ）を参照すると、上記の実施形態は、従来例とを比較すると、２７０°（裏面方向）方向の光量が、相対光量において０．１から０．４に大幅に増加していることが分かる。したがって、上記の実施形態によれば、光の出射方向を一方向ではなく、全方向に広げることができ、広指向性を実現できる。
【００２８】
図５,６は、本発明の別の実施形態を示している。先の実施形態との相違点は、前記発光素子の左右に位置する前記第１の樹脂５によって形成される側面５２を、上下方向の中央部が外側に膨らんだ形状とし、側壁５１の上部外側面を、上から下に向かうに従って左右方向の外側に広がる形状とした点である。
図５に示す実施形態は、前記第１の樹脂５によって形成される側面５２を、上下方向の中央部が外側に膨らんだ形状とするに際して、上中下の領域５２ａ、５２ｂ、５２ｃをそれぞれ直線で結んだ形状としたものである。
図６に示す実施形態は、前記第１の樹脂５によって形成される側面５２を、上下方向の中央部が外側に膨らんだ形状とするに際して、上中下の領域５２ａ、５２ｂ、５２ｃをそれぞれ円弧状の曲線で結んだ形状としたものである。
このような上下方向の中央部が外側に膨らんだ側面形状とすることにより、側面から出射する光の臨界角を調整して、側面を透過して側方に出て行く光を裏面方向に効果的に案内することができ、裏面方向への相対的な光量を増加することができる。
本発明は、上記の実施形態に限定されるものではなく、本発明の趣旨を外れない範囲で種々の変更を行うことができる。
【産業上の利用可能性】
【００２９】
本発明は、発光素子の光を広範囲に照射する用途の発光装置とその製造方法に適用することができる。このような発光装置は、電球のフィラメント部分を構成する光源として利用することができる。
【図面の簡単な説明】
【００３０】
【図１】本発明の実施形態に係る発光装置の長手方向の断面図である。
【図２】本発明の実施形態に係る発光装置の短手方向の断面図である。
【図３】本発明の実施形態に係る発光装置の製造工程を示す図である。
【図４】発光装置の指向特性を示す図で、（Ａ）は本発明の実施形態に係る発光装置の特性、（Ｂ）は従来例に係る発光装置の特性を示している。
【図５】本発明の別の実施形態に係る発光装置の短手方向の断面図である。
【図６】本発明のさらに別の実施形態に係る発光装置の短手方向の断面図である。
【符号の説明】
【００３１】
１    発光装置
３    発光素子
４１  リード
４２  リード
４３  リード
５    第１の樹脂
７    第２の樹脂
【図１】
2009111140.tif 000003
【図２】
2009111140.tif 000004
【図３】
2009111140.tif 000005
【図４】
2009111140.tif 000006
【図５】
2009111140.tif 000007
【図６】
2009111140.tif 000008